(57)【要約】【課題】発光ダイオードを光源とするポインターにおいて出射光の拡散を抑制する。【解決手段】可視光を放出する発光ダイオード２と、放出された可視光が入射する一端６ａと、一端６ａから入射した可視光が出射する他端６ｂとを有し、一端６ａから他端６ｂまで互いに平行に延びている複数の光ファイバー６と、を有する。【選択図】図１
2014044312.tif 000002
【特許請求の範囲】
【請求項１】
可視光を放出する発光ダイオードと、
放出された前記可視光が入射する一端と、前記一端から入射した前記可視光が出射する他端とを有し、前記一端から前記他端まで互いに平行に延びている複数の光ファイバーと、
を有するポインター。
【請求項２】
前記発光ダイオードおよび前記複数の光ファイバーが収容されている外皮部材をさらに有し、前記外皮部材内で前記複数の光ファイバーが密接に束ねられている、請求項１に記載のポインター。
【請求項３】
各光ファイバーが、前記一端から前記他端までの途中に屈曲部を有する、請求項１または２に記載のポインター。
【請求項４】
各光ファイバーの前記他端に面し、前記他端から出射した前記可視光を透過させる透過部材をさらに有する、請求項１から３のいずれか１項に記載のポインター。
【発明の詳細な説明】
【技術分野】
【０００１】
本発明は、プレゼンテーション等の発表の際に用いられるポインターに関する。
【背景技術】
【０００２】
プレゼンテーション等の発表の際、指し棒の代わりにポインターを用いる場合がある。一般的なポインターでは、レーザー光源からレーザー光が放出される。放出されたレーザー光は、レーザー光源に対向配置されたレンズに入射する。入射光は、レンズを透過してスクリーンに照射される。このようなポインターを用いると、暗い場所、または指し棒で届かないような場所でも発表箇所を指し示すことが可能となる。
【０００３】
ポインターでは、レーザー光源を用いることが一般的であるが、近年、発光ダイオードを光源として用いるポインターが提案され、特許文献１に開示されている。
【先行技術文献】
【特許文献】
【０００４】
【特許文献１】特開２００１−３４１５８号公報
【発明の概要】
【発明が解決しようとする課題】
【０００５】
発光ダイオードから放出される光は、一般的に、レーザー光に比べて指向性が低く拡散しやすい。そのため、発光ダイオードをポインターの光源として用いる場合、出射光が拡散して照射面でポイントとして表示されない可能性がある。
【０００６】
そこで、本発明は、発光ダイオードを光源とするポインターにおいて出射光の拡散を抑制することを目的とする。
【課題を解決するための手段】
【０００７】
上記目的を達成するため、本発明のポインターは、
可視光を放出する発光ダイオードと、
放出された前記可視光が入射する一端と、前記一端から入射した前記可視光が出射する他端とを有し、前記一端から前記他端まで互いに平行に延びている複数の光ファイバーと、
を有する。
【発明の効果】
【０００８】
本発明によれば、発光ダイオードを光源とするポインターにおいて出射光の拡散を抑制することが可能となる。
【図面の簡単な説明】
【０００９】
【図１】実施形態１のポインターの内部構成を示す図である。
【図２】図１に示す切断線Ａ−Ａに沿った断面図である。
【図３】実施形態２のポインターの内部構成を示す図である。
【発明を実施するための形態】
【００１０】
（実施形態１）
本発明の実施形態１について説明する。図１は、実施形態１のポインターの内部構成を示す図である。図２は、図１に示す切断線Ａ−Ａに沿った断面図である。
【００１１】
図１に示すポインター１０では、発光ダイオード２と、発光ダイオード２を発光させるための点灯回路８が回路基板１に実装されている。本実施形態の発光ダイオード２は、赤色の可視光を放出する。本発明では、発光ダイオードの発光色は特に限定されない。本実施形態の発光ダイオード２は、弾丸状の透明樹脂９に覆われている。本発明では、透明樹脂９はなくてもよい。
【００１２】
発光ダイオード２に対して可視光の進行方向の前方には、複数の光ファイバー６が設けられている。各光ファイバー６は、発光ダイオード２とともに外皮部材５内に収容されている。ケーブル５内において、複数の光ファイバー６は、互いに密接に束ねられている（図２参照）。
【００１３】
各光ファイバー６は、発光ダイオード２から放出された光が入射する一端６ａと、一端６ａから入射した光が出射する他端６ｂとを有する。他端６ｂには、透過部材４が面している。
【００１４】
透過部材４は、他端６ｂから出射された光を屈折させることなくそのまま出射させる。透過部材４には、各他端６ｂの保護機能としての役割があればよく、集光およびコリメートといったレンズ機能の役割はなくてよい。透過部材４は、なくてもよい。
【００１５】
上記のように構成されたポインター１０において、所定の操作が行われると、点灯回路８が発光ダイオード２を発光させる。発光ダイオード２が発光すると、可視光が放出される。放出された可視光は、各光ファイバー６の一端６ａに入射する（図１参照）。
【００１６】
一端６ａに入射した光は、各光ファイバー６を伝播して他端６ｂから出射する（図１参照）。このとき、複数の光ファイバー６は、一端６ａから他端６ｂまで互いに平行に延びている（図１参照）。そのため、各光ファイバーの他端６ｂから出射した光は、平行光となる。この平行光は、透過部材４を透過する。その結果、出射光７が照射面に照射される。出射光７は、透過部材４の幅Ｂとほぼ同じ幅を有する平行光である。
【００１７】
上述したように本実施形態のポインター１０では、発光ダイオード２から放出された可視光は、各光ファイバー６の他端６ｂから平行光として出射される。よって、出射光７の拡散が抑制される。なお、各光ファーバー６は、一端６ａから他端６ｂまで互いに平行に延びているのが望ましいが、本発明では他端６ｂから平行光が出射されればよい。よって、少なくとも各光ファーバー６の他端６ｂの近傍部分が互いに平行になっていればよい。
【００１８】
さらに、本実施形態では、外皮部材５内で複数の光ファイバー６は、密接に束ねられているので、発光ダイオード２から放出された可視光の大部分が光ファイバー５に取り込まれる。そのため、発光ダイオード２から放出された可視光を効率よく出射光７として利用することが可能となる。
【００１９】
（実施形態２）
本発明の実施形態２について説明する。図３は、実施形態２のポインターの内部構成を示す図である。以下、上述した実施形態１のポインター１０との違いを中心に説明する。実施形態１のポインター１０と同様の構成要素については同じ符号を付し、詳細な説明する。
【００２０】
本実施形態のポインター２０では、各光ファイバー６は、一端６ａから他端６ｂまでの途中に屈曲部６ｃと、屈曲部６ｄを有する。屈曲部６ｃは、一端６ａから直線方向（以下、第１の方向と称する。）に延びてからその直線方向に交差する方向（以下、第２の方向と称する。）に屈曲した部分である。一方、屈曲部６ｄは、屈曲部６ｃから第２の方向に延びてから第１の方向に屈曲した部分である。各光ファイバー６には、屈曲部６ｃおよび屈曲部６ｄで屈曲できるように柔軟な素材が用いられている。
【００２１】
本実施形態のポインター２０では、発光ダイオード２から放出された可視光は、各光ファイバー６の一端６ａに入射し、他端６ｂから出射する。本実施形態でも、実施形態１と同様に、複数の光ファイバー５が一端６ａから他端６ｂまで互い平行に延びている。これにより、発光ダイオード２から放出された可視光が、平行光となって出射される。よって、出射光７の拡散が抑制される。
【００２２】
さらに、本実施形態でも、実施形態１と同様に、外皮部材５内で複数の光ファイバー６は、密接に束ねられている。発光ダイオード２から放出された可視光の大部分が光ファイバー５に取り込まれる。そのため、発光ダイオード２から放出された可視光を効率よく出射光７として利用することが可能となる。
【００２３】
さらに、本実施形態のポインター２０では、発光ダイオード２から透過部材４までの光路が屈曲していても発光ダイオード２から放出された可視光を出射光７として出射することができる。
【００２４】
レーザーポインターでは、レーザー光を出射させるためにレーザー光源と出射箇所との間に一直線状の光路を確保する必要がある。レーザーポインターには、このような光学的制約があるので、設計の自由度が低い。
【００２５】
一方、本実施形態のポインター２０では、発光ダイオード２の光を出射箇所（透過部材４）まで導く光路として光ファイバー６が用いられている。そのため、スペースの都合で一直線状の光路を確保できない場合でも、光ファイバー６を屈曲させることで、発光ダイオード２の光を出射させることが可能となる。そのため、本実施形態のポインター２０は、レーザーポインターに比べて設計の自由度を高めることが可能となる。
【００２６】
本実施形態では、各光ファイバー６が２つの屈曲部６ｃ、６ｄを有する屈曲形態であった。しかし、本発明は、この屈曲形態に限定されない。例えば、各光ファイバー６は、一つの屈曲部を有するくの字形に屈曲していてもよい。
【符号の説明】
【００２７】
１  回路基板
２  発光ダイオード
３  筐体
４  レンズ
５  外皮部材
６  光ファイバー
６ａ  一端
６ｂ  他端
６ｃ、６ｄ  屈曲部
７  出射光
８  点灯回路
１０、２０  ポインター
【図１】
2014044312.tif 000003
【図２】
2014044312.tif 000004
【図３】
2014044312.tif 000005